(57)【要約】【課題】汎用性を向上させたフレームメモリモジュールを得る。【解決手段】ｍ個の入力端子ＩＮ１，ＩＮ２，・・・，ＩＮｍから、ｍ個の視点に対応するｍ個の入力画像がそれぞれ入力される。ｎ個の分割回路ＤＶ１，ＤＶ２，・・・，ＤＶｎは、設定された水平画素ピッチ値に基づいてｍ個の入力画像を垂直方向に短冊状に分割して、それぞれ対応するｎ個のフレームメモリＦＭ１，ＦＭ２，・・・，ＦＭｎに入力番号順に且つ周期的に格納させる。ｎ個のフレームメモリＦＭ１，ＦＭ２，・・・，ＦＭｎに格納された画像が、ｎ通りの観察距離に対応するｎ個の出力画像として、対応するそれぞれｎ個の出力端子ＯＵＴ１，ＯＵＴ２，・・・，ＯＵＴｎから出力される。水平画素ピッチ値は、分割された入力画像の水平方向の画素数である。ｎ個の分割回路ＤＶ１，ＤＶ２，・・・，ＤＶｎについて、それぞれ個別に水平画素ピッチ値が設定される。【選択図】図１
2012169748.tif 000002
【特許請求の範囲】
【請求項１】
ｍ個（ｍは２以上の整数）の入力端子と、
ｎ個（ｎは２以上の整数）の分割回路と、
前記ｎ個の分割回路にそれぞれ対応したｎ個のフレームメモリと、
前記ｎ個のフレームメモリにそれぞれ対応したｎ個の出力端子とを備え、
前記ｍ個の入力端子から、ｍ個の視点に対応するｍ個の入力画像がそれぞれ入力され、
前記ｎ個の分割回路は、設定された水平画素ピッチ値に基づいて前記ｍ個の入力画像を垂直方向に短冊状に分割して、それぞれ対応する前記ｎ個のフレームメモリに入力番号順に且つ周期的に格納させ、
前記ｎ個のフレームメモリに格納された画像が、ｎ通りの観察距離に対応するｎ個の出力画像として、それぞれ対応する前記ｎ個の出力端子から出力され、
前記水平画素ピッチ値は、分割された前記入力画像の水平方向の画素数であり、
前記ｎ個の分割回路について、それぞれ個別に前記水平画素ピッチ値が設定されることを特徴とする多視点用フレームメモリモジュール。
【請求項２】
ｍ個（ｍは２以上の整数）の入力端子と、
ｎ個（ｎは２以上の整数）の分割回路と、
前記ｎ個の分割回路にそれぞれ対応したｎ個のフレームメモリと、
前記ｎ個のフレームメモリにそれぞれ対応したｎ個の出力端子とを備え、
前記ｍ個の入力端子のうちのｍ１個（ｍ１は１以上、ｍ以下の整数）の入力端子から、ｍ１個の視点に対応するｍ１個の入力画像がそれぞれ入力され、
前記ｎ個の分割回路のうちのｎ１個（ｎ１は１以上、ｎ以下の整数）の分割回路は、設定された水平画素ピッチ値に基づいて前記ｍ１個の入力画像を垂直方向に短冊状に分割して、それぞれ対応するｎ１個の前記フレームメモリに入力番号順に且つ周期的に格納させ、
前記ｎ１個のフレームメモリに格納された画像が、ｎ１通りの観察距離に対応するｎ１個の出力画像として、それぞれ対応する前記ｎ１個の出力端子から出力され、
前記水平画素ピッチ値は、分割された前記入力画像の水平方向の画素数であり、
前記ｎ１個の分割回路について、それぞれ個別に前記水平画素ピッチ値が設定されることを特徴とする多視点用フレームメモリモジュール。
【発明の詳細な説明】
【技術分野】
【０００１】
本発明は、裸眼三次元画像を生成するための多視点用フレームメモリモジュールに関する。
【背景技術】
【０００２】
現在、裸眼三次元画像を生成する方式として、パララックスバリア方式（視差バリア方式）やレンティキュラ方式が主流である。図５はパララックスバリア方式を説明するための図である。水平方向に観察者の左目と右目が並ぶ場合、垂直方向に短冊状に分割された右目用画像と左目用画像が交互に並んでディスプレイに表示される。ディスプレイと観察者の間に、垂直方向のスリットを有するバリアが設けられている。
【０００３】
右目用画像及び左目用画像は、それぞれ水平方向に一定の幅を有する。観察者の右目が右目用画像を見て、左目が左目用画像を見ることで、両画像の視差に起因して奥行きを感じ、裸眼で三次元画像を観察することができる。
【０００４】
分割された右目用画像や左目用画像の水平方向の画素数を水平画素ピッチ値と呼ぶ。この値は両目とバリアとの間の距離、スリット間隔、スリットと画像間の距離により決定される。即ち、水平画素ピッチ値を変えれば、三次元画像を両目で観察できる距離を変えることができる。水平画素ピッチ値を大きくすれば距離を大きくでき、逆に、水平画素ピッチ値を小さくすれば距離を小さくできる。従って、表示機器ごとに最適な裸眼三次元画像を提供することができる。
【０００５】
上述の例では一人の観測者による２視点の場合について説明したが、多視点の場合も同様に考えればよい。視点がｍ個の場合、ｍ個の画像を垂直方向に分割して順番に並べる。視点が増えれば一視点当たりの画素数が少なくなるため、一人の観察者が見る画面は暗くなる。一般的にｍは８個が限度である。
【０００６】
図６は、従来の裸眼三次元画像用のエンコーダ装置の一例を示す図である。右目用画像と左目用画像をそれぞれフレームメモリＡ，Ｂに格納する。そして、それらの画像をそれぞれエンコーダによりエンコード処理して、右目用圧縮画像と左目用圧縮画像を生成する。この際に、同期信号により、右目用画像と左目用画像の同期が外れないようにする。
【０００７】
図７は、従来の裸眼三次元画像用のエンコーダ装置の他の例を示す図である。右目用画像と左目用画像をそれぞれ短冊状に分割し交互に並ぶように合成してフレームメモリに格納する。そして、その画像をエンコーダにより一括してエンコード処理して、圧縮画像を生成する（例えば、特許文献１参照）。
【先行技術文献】
【特許文献】
【０００８】
【特許文献１】特開２００８−２７０９３７号公報
【発明の概要】
【発明が解決しようとする課題】
【０００９】
従来の裸眼三次元画像用のエンコーダ装置では、水平画素ピッチ値や視点数ごとに別々のフレームメモリを用意しなければならなかった。即ち、フレームメモリを備える従来のフレームメモリモジュールは汎用性が乏しかった。
【００１０】
本発明は、上述のような課題を解決するためになされたもので、その目的は汎用性を向上させたフレームメモリモジュールを得るものである。
【課題を解決するための手段】
【００１１】
本発明に係る多視点用フレームメモリモジュールは、ｍ個（ｍは２以上の整数）の入力端子と、ｎ個（ｎは２以上の整数）の分割回路と、前記ｎ個の分割回路にそれぞれ対応したｎ個のフレームメモリと、前記ｎ個のフレームメモリにそれぞれ対応したｎ個の出力端子とを備え、前記ｍ個の入力端子から、ｍ個の視点に対応するｍ個の入力画像がそれぞれ入力され、前記ｎ個の分割回路は、設定された水平画素ピッチ値に基づいて前記ｍ個の入力画像を垂直方向に短冊状に分割して、それぞれ対応する前記ｎ個のフレームメモリに入力番号順に且つ周期的に格納させ、前記ｎ個のフレームメモリに格納された画像が、ｎ通りの観察距離に対応するｎ個の出力画像として、それぞれ対応する前記ｎ個の出力端子から出力され、前記水平画素ピッチ値は、分割された前記入力画像の水平方向の画素数であり、前記ｎ個の分割回路について、それぞれ個別に前記水平画素ピッチ値が設定されることを特徴とする。
【発明の効果】
【００１２】
本発明により、汎用性を向上させたフレームメモリモジュールを得ることができる。
【図面の簡単な説明】
【００１３】
【図１】本発明の実施の形態１に係る多視点用フレームメモリモジュールを示す図である。
【図２】本発明の実施の形態１に係る多視点用フレームメモリモジュールの具体例を示す図である。
【図３】本発明の実施の形態２に係る多視点用フレームメモリモジュールを示す図である。
【図４】本発明の実施の形態２に係る多視点用フレームメモリモジュールの具体例を示す図である。
【図５】パララックスバリア方式を説明するための図である。
【図６】従来の裸眼三次元画像用のエンコーダ装置の一例を示す図である。
【図７】従来の裸眼三次元画像用のエンコーダ装置の他の例を示す図である。
【発明を実施するための形態】
【００１４】
本発明の実施の形態に係る多視点用フレームメモリモジュールについて図面を参照して説明する。同じ又は対応する構成要素には同じ符号を付し、説明の繰り返しを省略する場合がある。
【００１５】
実施の形態１．
図１は、本発明の実施の形態１に係る多視点用フレームメモリモジュールを示す図である。この多視点用フレームメモリモジュールは、裸眼三次元画像用のエンコーダ装置に適用されるｍ入力ｎ出力のモジュールである。ｍは、視点の数であり、２以上、かつ一般的には８以下の整数である。ｎは、水平画素ピッチ値の総種類数であり、２以上の整数である。水平画素ピッチ値は、分割された入力画像の水平方向の画素数である。
【００１６】
モジュールは、ｍ個の入力端子ＩＮ１，ＩＮ２，・・・，ＩＮｍと、ｎ個の分割回路ＤＶ１，ＤＶ２，・・・，ＤＶｎと、ｎ個の分割回路にそれぞれ対応したｎ個のフレームメモリＦＭ１，ＦＭ２，・・・，ＦＭｎと、ｎ個のフレームメモリにそれぞれ対応したｎ個の出力端子ＯＵＴ１，ＯＵＴ２，・・・，ＯＵＴｎとを備える。
【００１７】
ｍ個の入力端子ＩＮ１，ＩＮ２，・・・，ＩＮｍから、ｍ個の視点に対応するｍ個の入力画像がそれぞれ入力される。ｎ個の分割回路ＤＶ１，ＤＶ２，・・・，ＤＶｎは、設定された水平画素ピッチ値に基づいてｍ個の入力画像を垂直方向に短冊状に分割して、それぞれ対応するｎ個のフレームメモリＦＭ１，ＦＭ２，・・・，ＦＭｎに入力番号順に且つ周期的に格納させる。
【００１８】
ｎ個のフレームメモリＦＭ１，ＦＭ２，・・・，ＦＭｎに格納された画像が、ｎ通りの観察距離に対応するｎ個の出力画像として、それぞれ対応するｎ個の出力端子ＯＵＴ１，ＯＵＴ２，・・・，ＯＵＴｎから出力される。このｎ個の出力画像は、ｍ個の視点の画像をｎ通りの観察距離で見るための裸眼画像である。その後、ｎ個の出力画像は、それぞれエンコーダ（圧縮装置）により圧縮画像に変換される。
【００１９】
本実施の形態では、ｎ個の分割回路ＤＶ１，ＤＶ２，・・・，ＤＶｎについて、制御信号Ｐｅ（１），Ｐｅ（２），・・・，Ｐｅ（ｎ）により、それぞれ個別に水平画素ピッチ値が設定される。これにより、ｎ通りの異なる観察距離、即ちｎ通りの表示機器に対応できる。この結果、汎用性を向上させたフレームメモリモジュールを得ることができる。
【００２０】
図２は、本発明の実施の形態１に係る多視点用フレームメモリモジュールの具体例を示す図である。ｍ＝２、ｎ＝２である。このモジュールにより、１人用の三次元画像について２つの表示機器に対応した画像を得ることができる。すなわち、図２の場合、出力端子ＯＵＴ１から出力された出力画像は、出力端子ＯＵＴ２から出力された出力画像に比べて水平画素ピッチ値が大きいため、遠くから三次元画像を観察することができる。
【００２１】
実施の形態２．
図３は、本発明の実施の形態２に係る多視点用フレームメモリモジュールを示す図である。本実施の形態のモジュールはｍ入力ｎ出力を備えるが、その内の一部又は全部のｍ１個の入力とｎ１個の出力のみを用いる。ｍ１は、視点の数であり、ｍ１は１以上、ｍ以下の整数である。ｎ１は、水平画素ピッチ値の総種類数であり、ｎ１は１以上、ｎ以下の整数である。
【００２２】
ｍ個の入力端子ＩＮ１，ＩＮ２，・・・，ＩＮｍのうちのｍ１個の入力端子ＩＮ１，ＩＮ２，・・・，ＩＮｍ１から、ｍ１個の視点に対応するｍ１個の入力画像がそれぞれ入力される。ｎ個の分割回路ＤＶ１，ＤＶ２，・・・，ＤＶｎのうちのｎ１個の分割回路ＤＶ１，ＤＶ２，・・・，ＤＶｎ１は、設定された水平画素ピッチ値に基づいてｍ１個の入力画像を垂直方向に短冊状に分割して、それぞれ対応するｎ１個のフレームメモリＦＭ１，ＦＭ２，・・・，ＦＭｎ１に入力番号順に且つ周期的に格納させる。
【００２３】
ｎ１個のフレームメモリＦＭ１，ＦＭ２，・・・，ＦＭｎ１に格納された画像が、ｎ１通りの観察距離に対応するｎ１個の出力画像として、それぞれ対応するｎ１個の出力端子ＯＵＴ１，ＯＵＴ２，・・・，ＯＵＴｎ１から出力される。その後、ｎ１個の出力画像は、それぞれエンコードＬＳＩ（不図示）により圧縮画像に変換される。
【００２４】
本実施の形態では、ｎ１個の分割回路について、制御信号Ｐｅ（１），Ｐｅ（２），・・・，Ｐｅ（ｎ１）により、それぞれ個別に水平画素ピッチ値が設定される。これにより、ｎ１通りの異なる観察距離、即ちｎ１通りの表示機器に対応できる。また、ｍ１とｎ１を任意に設定できるため、視点の数や、対応させる表示機器の数を任意に設定できる。即ち、ｍ入力ｎ出力の範囲内で自由な構成のフレームメモリ群として用いることができる。この結果、汎用性を向上させたフレームメモリモジュールを得ることができる。
【００２５】
図４は、本発明の実施の形態２に係る多視点用フレームメモリモジュールの具体例を示す図である。ｍ１＝３、ｎ１＝１である。図３のフレームメモリモジュールは、１．５人用の三次元画像について１つの表示機器に対応した画像を得ることができる。ここで、１．５人用とは、ＡとＢの２人がいた場合、Ａの右目の画像とＢの左目の画像を共通化し、両人が顔を寄せ合った状態で同時に三次元画像を見ることができることを意味している。一人の場合は、多少顔を動かしても三次元画像をはっきりと見ることができることを意味している。
【００２６】
なお、実施の形態１，２のモジュールにおいて、フレームメモリの前段にフレームシンクロナイザを設けて、ｍ個の入力画像のフレーム同期を行う機能を一体化してもよい。即ち、フレーム同期信号を入力して、この信号に同期して矩冊状に分割した画像を各フレームメモリに書込む。
【００２７】
また、実施の形態１，２のモジュールを用いれば、ｍとｎの値を端末に問い合わせて、その端末に最適な水平画素ピッチ値の画像を生成するような装置を実現することができる。
【符号の説明】
【００２８】
ＩＮ１，ＩＮ２，・・・，ＩＮｍ  入力端子
ＤＶ１，ＤＶ２，・・・，ＤＶｎ  分割回路
ＦＭ１，ＦＭ２，・・・，ＦＭｎ  フレームメモリ
ＯＵＴ１，ＯＵＴ２，・・・，ＯＵＴｎ  出力端子
【図１】
2012169748.tif 000003
【図２】
2012169748.tif 000004
【図３】
2012169748.tif 000005
【図４】
2012169748.tif 000006
【図５】
2012169748.tif 000007
【図６】
2012169748.tif 000008
【図７】
2012169748.tif 000009